(57)【特許請求の範囲】
【請求項１】
移動レンズを軸方向に移動自在に支持する円筒状のレンズ鏡胴，
上記レンズ鏡胴の外周面に回転自在に保持され，回転により移動レンズを軸方向に移動させる円筒状の操作リング，
上記操作リングの外周に設けられ，開閉自在な開閉部が少なくとも一箇所に形成されており，上記開閉部が閉じられたときの内径が上記操作リングの外径よりも小さくなる環状のロック・リングを備え，
上記ロック・リングは，環の一箇所で上記レンズ鏡胴に支持されており，かつ上記開閉部を閉じるように付勢する付勢機構，上記開閉部が開かれたときに上記付勢機構による付勢力に抗して上記開閉部を開いた状態に保持する保持機構，および上記保持機構によって上記開閉部が開いた状態に保持されていることに応じて，上記ロック・リングと上記レンズ鏡胴とを係合させ，上記開閉部が閉じられた状態では上記ロック・リングと上記レンズ鏡胴との係合を解除させる係合機構を備えている，
レンズ装置のロック装置。
【請求項２】
上記ロック・リングの上記開閉部は，環の一箇所で径方向に切断されている，周方向において対向する二つの端面であり，
上記保持機構は，
回転自在なリリースつまみの軸に取り付けられており，かつ突起が外周面に形成されている円板カムを含み，
上記二つの端面のうち一方の端面をもつ一端部の上部の台座と上記二つの端面の他方の端面をもつ他端部の上部の台座に上記円板カムが配置され，
上記二つの端面が接することにより上記一端部の上部の台座と上記他端部の上部の台座とが平面から見て矩形の先端に半円がついた形状となり，上記半円の先端に上記突起が入る第１の凸部が形成され，上記第１の凸部から時計周りに90度の角度の位置に上記突起の長さよりも浅い第２の凸部が形成され，
上記開閉部が閉じられるときには上記円板カムの上記突起が上記第１の凸部に入り上記二つの端面が接し，上記開閉部が開かれるときには上記円板カムの上記突起が上記第２の凸部に入ることにより上記二つの端面が離れる，
請求項１に記載のレンズ装置のロック装置。
【請求項３】
上記係合機構は，
上記リリースつまみまたは上記レンズ鏡胴のいずれか一方に係合凹所が形成され，上記リリースつまみまたは上記レンズ鏡胴のいずれか他方に係合凸所が形成され，上記リリースつまみが回転することにより上記係合凹所と上記係合凸所との係合または係合解除となるものである，
請求項２に記載のレンズ装置のロック装置。
【請求項４】
上記係合機構は，
上記ロック・リングの上記開閉部を構成する二つの端面のうち，一方の端面が形成されている一端部に形成されている第１の係合凹所および上記二つの面のうち，他方の端面が形成されている他端部に形成されている第２の係合凹所，ならびに
上記レンズ鏡胴に形成されている第１のピンおよび第２のピン，
を備え，
上記保持機構により上記開閉部が開いた状態に保持されているときには上記第１の係合凹所の内壁に第１のピンが当たり，かつ上記第２の係合凹所の内壁に第２のピンが当たることにより係合し，上記開閉部が閉じたときには上記第１の係合凹所の内壁に第１のピンが当たらず，かつ上記第２の係合凹所の内壁に第２のピンが当たらないことにより係合を解除する，
請求項２に記載のレンズ装置のロック装置。
【発明の詳細な説明】
【技術分野】
【０００１】
この発明は，レンズ装置のロック装置に関する。
【背景技術】
【０００２】
コストダウンのため部品のプラスチック化の進む監視用ＣＣＴＶバリフォーカス・レンズにおいては，ズーム・リングまたはフォーカス・リングを所望の位置に操作した後，そのリングが動かないようにする必要がある。そのために，ズーム・リングまたはフォーカス・リングの外周面に，光軸と直角方向に侵入する金属製のロック用ネジが設けられる（特許文献１）。ロック用ネジを締め付けると，ズーム・リングまたはフォーカス・リングが動かないようになる。
【０００３】
移動レンズの調整位置をロックする際の移動レンズの調整ズレを防止するもの（特許文献２），ピント調整作業を容易にするもの（特許文献３）などもある。
【先行技術文献】
【特許文献】
【０００４】
【特許文献１】実全昭64-43314号公報
【特許文献２】特開2011-154308号公報
【特許文献３】特開2008-52193号公報
【発明の概要】
【発明が解決しようとする課題】
【０００５】
プラスチック化が進むバリフォーカル・レンズの場合，金属製のロック用ネジが接する部分が肉薄となっており，金属製のロック用つまみで押されると，その押された部分が塑性変形してしまい，ロックが不十分となってしまうことがある。また，リング部分の嵌合長があまり無い場合，ロック用ネジの押圧が集中加重であるために，リングが傾いてしまい，いわゆる「片効き感」を感じることがある。このために，レンズ鏡胴の外周に回転自在に設けられ，ズーム・レンズ，フォーカス・レンズなどの移動レンズを光軸方向に移動させる際に操作される操作リングを回りから囲むような環状のロック・リングを設けることが考えられる。ロック・リングの内周面全体で操作リングを外側から締め付けることにより，操作リングが固定され，移動レンズが固定される。
【０００６】
しかしながら，環状のロック・リングを設けた場合，操作リングが操作できるように操作リングのロックが解除されているときには，回転する操作リングの外周面と環状のロック・リングの内周面とが擦れ，ロック・リングががたついてしまう。ロック・リングのがたつきを防止するために，ロック・リングを環状の二箇所で固定すると，その二箇所の間の部分は変形できないので，その二箇所の間の部分で操作リングを締め付けることができない。
【０００７】
先行文献１，３では，環状のロック・リングについては考えられていず，先行文献２では，ロック・リングのがたつきは考えられていない。
【０００８】
この発明は，環状のロック・リングによって操作リングを外周面から締め付けることにより操作リングを固定するロック・装置において，操作リングが回転自在なときにロック・リングががたつかないようにすることを目的とする。
【課題を解決するための手段】
【０００９】
この発明によるレンズ装置のロック装置は，移動レンズを軸方向に移動自在に支持する円筒上のレンズ鏡胴，上記レンズ鏡胴の外周面に回転自在に保持され，回転により移動レンズを軸方向に移動させる円筒状の操作リング，上記操作リングの外周に設けられ，開閉自在な開閉部が少なくとも一箇所に形成されており，上記開閉部が閉じられたときの内径が上記操作リングの外径よりも小さくなる環状のロック・リングを備え，上記ロック・リングは，環の一箇所で上記レンズ鏡胴に支持されており，かつ上記開閉部を閉じるように付勢する付勢機構，上記付勢機構による付勢力に抗して上記開閉部を開いた状態に保持する保持機構，および上記保持機構によって上記開閉部が開いた状態に保持されていることに応じて，上記ロック・リングと上記レンズ鏡胴とを係合させる係合機構を備えていることを特徴とする。
【００１０】
この発明によると，回転により移動レンズを軸方向に移動させる円筒状の操作リングの外周に環状のロック・リングが設けられている。このロック・リングは開閉部が設けられており，閉じられたときの内径は操作リングの外径よりも小さい。付勢機構により開閉部が閉じられるように付勢されており，ロック・リングにより操作リングが締め付けられる。操作リングが固定され，移動レンズも固定される。保持機構により開閉部が開いた状態に保持されると，ロック・リングによる操作リングの締め付けは開放され，操作リングが回転可能となる。保持機構により開閉部が開いた状態に保持されていると，係合機構によりロック・リングとレンズ鏡胴とが係合させられる。操作リングが回転自在なときには，ロック・リングとレンズ鏡胴とが係合するので，ロック・リングのがたつきを未然に防止できる。
【００１１】
上記ロック・リングの上記開閉部は，たとえば，環の一箇所で径方向に切断されている，周方向において対向する二つの端面であり，上記保持機構は，たとえば，上記対向する二つの端面の間に，軸方向が径方向であり，かつ中心から円周までの距離が一定でない円板カムが固定されている軸が入り込む回転自在なリリースつまみである。
【００１２】
上記係合機構は，たとえば，上記リリースつまみまたは上記レンズ鏡胴のいずれか一方に係合凹所が形成され，上記リリースつまみまたは上記レンズ鏡胴のいずれか他方に係合凸所が形成され，上記リリースつまみが回転することにより上記係合凹所と上記係合凸所との係合または係合解除となるものである。
【００１３】
上記係合機構は，上記ロック・リングの上記開閉部を構成する二つの端面のうち，一方の端面が形成されている一端部と他方の端面が形成されている他端部とにそれぞれ形成されている係合部，および上記レンズ鏡胴に形成されている被係合部を備えてもよい。この場合，たとえば，上記保持機構により上記開閉部が開いた状態に保持されたことにより上記係合部と上記被係合部とが係合する。
【図面の簡単な説明】
【００１４】
【図１】レンズ鏡胴の部分断面図である。
【図２】レンズ鏡胴本体の部分断面図である。
【図３】ロック・リングの斜視図である。
【図４】ロック・リングの正面図である。
【図５】ロック・リングの一部を示す斜視図である。
【図６】ロック・リングの一部を示す斜視図である。
【図７】（Ａ）から（Ｃ）は，円板カムが配置される台座を示している。
【図８】レンズ鏡胴本体の一部を示す斜視図である。
【図９】ロック・リングとレンズ鏡胴本体の一部とを示す斜視図である。
【図１０】ロック・リングの一部を示す斜視図である。
【実施例】
【００１５】
図１は，この発明の実施例を示すもので，レンズ鏡胴の一部を示す断面図，図２は，レンズ鏡胴本体30の一部断面図である。
【００１６】
主として，図２を参照して，円管状のレンズ鏡胴本体30の先端部に円筒部32が形成されている。円筒部32の基端側には，径方向に突出している第１の段部33が形成されている。この第１の段部33からさらに基端側に，順に第２の段部34および第３の段部35が形成されている。
【００１７】
円筒部32の先端部分31には，ネジ部31Ａが形成されており，そのネジ部31Ａにストッパ・リング10の内周面に形成されているネジ部10Ａが嵌められることにより，円管状のストッパ・リング10がレンズ鏡胴本体30の先端部分31に固定される。また，内周面が接するように円筒状の操作リング20が円筒部32の外周面に回転自在に取り付けられている。
【００１８】
操作リング20にはカム溝（図示略）が形成されており，このカム溝にレンズ枠２に形成されているピン３が入り込んでいる。レンズ枠２には移動レンズ（フォーカス・レンズ，ズーム・レンズ）１が保持されている。操作リング20が光軸を中心に回転させられることにより，移動レンズ１が光軸方向に移動する。
【００１９】
操作リング20の先端面はストッパ・リング10の基端側の後端面に接し，操作リング20の基端側の後端面は，レンズ鏡胴30の第１の段部33に接する。ストッパ・リング10と第１の段部33とによって，操作リング20の光軸方向への移動が規制される。操作リング20の後端部には，他の部分よりも外径が小さくなっている段部21が形成されている。この段部21にロック・リング40が外側から入り込んでいる。ロック・リング40の後端面は，レンズ鏡胴本体30の第２の段部34に接している。ロック・リング40の内径と，操作リング20の段部21の外径とはほぼ同じである。しかしながら，詳しくは後述するように，ロック・リング20が締められているときには，ロック・リング40の内径が操作リング20の段部21の外径よりも小さくなり，ロック・リング40によって，操作リング20が締め付けられる。操作リング20は回転できないように固定される。操作リング20が回転できないので，移動レンズ１の光軸方向への移動がロックされる。ロック・リング40の上部にはリリースつまみ80が設けられている。リリースつまみ80の軸には後述するように円板カム85が取り付けられている。このリリースつまみ80のヘッド部81が回されると，円板カム85によってロック・リング40による操作リング20の締め付けが解除される。操作リング20は回転可能となり，移動レンズ１を光軸方向に移動させることができる。
【００２０】
ロック・リング40の下部には，支持部44が形成されている。この支持部44の軸方向にネジ穴41が形成されている。このネジ穴41に通されているネジ45によって，ロック・リング40がレンズ鏡胴本体30のネジ穴36に固定されている。
【００２１】
図３は，ロック・リング40の斜視図，図４は，ロック・リング40の正面図である。
【００２２】
ロック・リング40は，環42を備えている。この環42は，上部において径方向に切断されており，その切断面が周方向に対向する二つの端面46および47（開閉部）である。一方の端面46をもつ一端部48から上方に支持部55が伸びており，その支持部55から水平方向に受け部53が形成されている。受け部53には孔54が開けられている。この孔54にリリースつまみ80の軸83が通っている。
【００２３】
図５および図６は，いずれも開閉部の部分を正面から見た拡大図である。
【００２４】
図６に示すように，一端部48には水平方向に貫通している貫通孔50が形成されており，図５に示すように，他端部49には，その貫通孔50に対応する位置に水平方向に貫通している貫通孔51が形成されている。
【００２５】
主として図５を参照して，これらの貫通孔50および51に段付き軸60が通っている。この段付き軸60には，頭側から第１の段部61，第２の段部62，軸63および溝64が形成されている。貫通孔50および51に通されている段付き軸60に，円環状のストッパ72，圧縮バネ73およびＥリング74が通される。Ｅリング74は溝64に入り込む。ストッパ72に形成されている孔および圧縮バネ73の径は段付き軸60の軸63の径とほぼ同じである。Ｅリング74とストッパ72との間に圧縮バネ73が入り，ストッパ72は段付き軸60の第２の段部62に当たり，段付き軸60の第１の段部61は，孔50の壁面50Ａに当たる（図４参照）。圧縮バネ73の圧縮力によってＥリング74とストッパ72とが開く方向に力が働くので段付き軸60の頭部とストッパ72とが近づき，端面46と47とが近づく方向に付勢力が働く。ロック・リング40には，上述したように，操作リング20を外側から締め付ける力が働く。
【００２６】
主として図６を参照して，リリースつまみ80のヘッド部81の外周面には，周方向に伸びている突起（係合凸部）82が形成されている。リリースつまみ80のヘッド部81から下方に軸83が伸びている。この軸83の下部には円板カム85に形成されている長孔86に入り込む取り付け部84が形成されている。この取り付け部84には貫通孔84Ａが形成されている。
【００２７】
受け部53の下方において，上述した一端部48の上部および他端部49の上部は，リリースつまみ80の軸に取り付けられている円板カム85が配置される台座52Ａおよび52Ｂである。
【００２８】
円板カム85の外周面には径方向に突出している凸部88が形成されている。また，円板カム85の外周面には孔87が開けられている。
【００２９】
円板カム85の凸部88が基端側（後端側）となるようにして，台座52Ａおよび52Ｂ上に円板カム85が置かれる。リリースつまみ80の軸83が，受け部53に形成されている孔54に通され，リリースつまみ80の取り付け部84が円板カム85の長孔86の中に入る。スプリング・ピン89が円板カム85の外周面に形成されている孔87を通り，取り付け部84に形成されている貫通孔84Ａに入ることにより，リリースつまみ80に円板カム85が固定される。リリースつまみ80のヘッド部81に形成されている突起82は，正面から見て左側に位置するようになる。
【００３０】
図７（Ａ）は図４のVII−VII線から見た断面図であり，台座52Ａおよび52Ｂ上に円板カム85が配置されていない状態を示している。
【００３１】
端面46と端面47とが接することにより，台座52Ａと52Ｂとは，平面から見て矩形の先端に半円が付いた形状となる。半円の先端には第１の凸部52Ｃが形成されており，その凸部52Ｃから時計周りに90度の角度の位置には第２の凸部52Ｄが形成されている。第１の凸部52Ｃおよび第２の凸部52Ｄは，いずれも上述した円板カム85に形成されている突起88が入るものである。半円の直径は，円板カム85において突起88の部分以外の直径と同じである。
【００３２】
第１の凸部52Ｃの深さ（奥行き）は，突起88の突出した長さとほぼ同じであり，突起88が第１の凸部52Ｃ内に入りきる。これに対して第２の凸部52Ｄの深さ（奥行き）は，突起88の突出した長さよりも浅く，突起88が第２の凸部52Ｄに入ったとしても突起88は第２の凸部52Ｄからはみ出る。
【００３３】
図７（Ｂ）は，ロック・リング40が閉じた状態（ロック・リング40によって操作リング20が締め付けられている状態）を示すもので，台座52Ａおよび52Ｂ上に，リリースつまみ80の取り付け部材84に固定されている円板カム85が配置されているときのVII−VII線から見た断面図である。
【００３４】
円板カム85に形成されている突起88は，第１の凸部52Ｃに入っている。台座52Ａと52Ｂとからなる半円の直径は，円板カム85に形成されている突起88の部分以外の直径と同じであるから，端面46と47とが接し，ロック・リング40は閉じた状態となる。突起88は，第１の凸部52Ｃに入っているので，リリースつまみ80が，がたつかない。
【００３５】
図７（Ｃ）は，ロック・リング40が開いた状態（ロック・リング40による操作リング20への締め付けが解除されている状態）を示すもので，台座52Ａおよび52Ｂ上に，リリースつまみ80の取り付け部材84に固定されている円板カム85が配置されているときのVII−VII線から見た断面図である。
【００３６】
ロック・リング40が開かれるときには，リリースつまみ80は，平面から見て時計まわりに90度回転させられる。円板カム85に形成されている突起88は，第２の凸部52Ｄに入る。上述したように，第２の凸部52Ｄの深さは突起88の長さよりも浅いから，突起88は第２の凸部52からはみ出る。円板カム85の外周面と突起88とによって台座52Ａの側面と台座52Ｂの側面とが開く方向に押された状態で保持される。しかも，円板カム85の突起88が第２の凸部52Ｄに入り込んでいるから，リリースつまみ80が，がたつかない。端面46と47とが離れ，ロック・リング40は開いた状態となる。
【００３７】
図３，図４等において，リリースつまみ80の突起82が正面から見て左側にある場合には，図７（Ｂ）に示すように円板カム85の突起88が第１の凸部52Ｃに入り，ロック・リング40が閉じた状態となる。操作リング20は回転しない。これに対して，リリースつまみ80の突起82が正面から見て左側にある状態から，平面からみて90度の角度だけリリースつまみが時計まわりに回されると，図７（Ｃ）に示すように円板カム85の突起88が第２の凸部52Ｄに入り，ロック・リング40が開いた状態となる。操作リング20が回転可能となる。リリースつまみ80が，平面から見て90度反時計まわりに戻されると，ロック・リング40は再び閉じる。リリースつまみ80の回転操作に応じて，ロック・リング40を閉じた状態と開いた状態とにすることができ，操作リング20（移動レンズ１）のロックおよびその解除ができるようになる。
【００３８】
図８は，レンズ鏡胴本体30の第３の段部35の一部を示す斜視図である。
【００３９】
レンズ鏡胴本体30の第３の段部35には，穴（係合凹所）36が形成されている。この穴36は，上述したように，正面から見て左側にあった突起82が，90度回転させられて基端側に位置したときの突起82に対向する位置に形成されている。正面から見て左側にあった突起82が，90度回転させられて基端側に位置すると，突起82は穴36に入る。
【００４０】
正面から見て左側にあった突起82が，90度回転させられて基端側に位置すると，上述のようにロック・リング40は開いた状態となり，操作リング20は回転可能となる。ロック・リング20は，その下部に形成されている支持部材44の一点でレンズ鏡胴本体30に固定されているから，がたつきが生じ，操作リング20が回転させられると，操作リング20の外周面がロック・リング40の内周面と擦れてしまう。この実施例では，ロック・リング40が開いた状態となると，リリースつまみ80に形成されている突起82がレンズ鏡胴30に形成されている穴36に入る。ロック・リング40がレンズ鏡胴30に固定されることとなるので，ロック・リング40ががたつかない。操作リング20が操作されてもロック・リング40の内周面と操作リング20の外周面とが擦れてしまうことを未然に防止できる。
【００４１】
上述の実施例では，リリースつまみ80に突起82が形成され，レンズ鏡胴本体30Ａの第３の段部35Ａに穴36が形成されているが，突起82の代わりに穴を形成し，穴36の代わりに突起を形成してもよい。
【００４２】
上述の実施例においては，リリースつまみ80の突起82が穴36に入り込むが，それらの突起82と穴36との係合が外れるようにリリースつまみ80を回転させることにより，突起82が穴36から外れ，係合状態が解除されるのはいうまでもない。
【００４３】
図９および図10は，変形例を示している。
【００４４】
図９は，ロック・リング40Ａの斜視図とレンズ鏡胴本体30Ａの第２の段部34Ａの斜視図である。図９に示すロック・リング40Ａは正面側（先端側）から見た斜視図である。第２の段部34Ａは，上述したレンズ鏡胴本体30の第２の段部34に対応する。
【００４５】
上述した実施例においては，リリースつまみ80に突起82が形成され，レンズ鏡胴本体30の第３の段部35に穴36が形成されているが，この変形例ではリリースつまみ80Ａには上述した突起82に相当する突起は形成されていない。レンズ鏡胴本体30Ａの第２の段部34Ａには先端側に向かって第１のピン101（係合部）および第２のピン102（係合部）が立設している。
【００４６】
図10は，ロック・リング40Ａを後端側（基端側）から見た斜視図である。
【００４７】
上述したように，一端部48の後端面には第１の係合凹所91（被係合部）が形成されており，他端部49の後端面には第２の係合凹所92（被係合部）が形成されている。
【００４８】
第１のピン101が第１の係合凹所91に入り，第２のピン102が第２の係合凹所92に入るように，第１のピン101，第２のピン102，第１の係合凹所91および第２の係合凹所92が位置決めされている。
【００４９】
ロック・リング40Ａが開いているときには，第１のピン101が第１の係合凹所91の内壁91Ａに当たり，第２のピン102が第２の係合凹所92の内壁92Ａに当たる。これにより，ロック・リング40Ａのがたつきが抑えられる。ロック・リング40Ａが閉じているときには，第１のピン101および第２のピン102は，第１の係合凹所91の内壁91Ａおよび第２の係合凹所92の内壁92Ａに当たらず，ロック・リング40Ａによって操作リング20が締め付けられる。
【符号の説明】
【００５０】
１  移動レンズ
20  操作リング
30  レンズ鏡胴本体
40  ロック・リング
【図１】
0005687591.tif 000002
【図２】
0005687591.tif 000003
【図３】
0005687591.tif 000004
【図４】
0005687591.tif 000005
【図５】
0005687591.tif 000006
【図６】
0005687591.tif 000007
【図７】
0005687591.tif 000008
【図８】
0005687591.tif 000009
【図９】
0005687591.tif 000010
【図１０】
0005687591.tif 000011